【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
日付情報を含む地点履歴情報を記憶する地点履歴情報記憶手段と、
上記地点履歴情報記憶手段から上記地点履歴情報を取得する地点履歴情報取得手段と、
上記地点履歴情報取得手段により取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成手段と、
上記履歴一覧情報生成手段により生成された上記履歴一覧情報を表示部に表示させる履歴一覧情報表示手段と、
を備えたことを特徴とする、地点履歴表示システム。
【請求項２】
請求項１に記載の地点履歴表示システムにおいて、
上記履歴情報は、
所定のマークを表す情報であることを特徴とする、地点履歴表示システム。
【請求項３】
請求項１に記載の地点履歴表示システムにおいて、
上記地点履歴情報は、
上記地点の地点名称を更に含み、
上記履歴情報は、
上記地点名称であることを特徴とする、地点履歴表示システム。
【請求項４】
請求項１から３のいずれか一つに記載の地点履歴表示システムにおいて、
上記日付情報は、
上記地点履歴にかかる時刻情報を更に含み、
上記履歴一覧情報生成手段は、
上記地点履歴情報取得手段により取得された上記地点履歴情報に基づいて、上記時刻情報に対応するタイムラインの時刻位置に、上記履歴情報を対応付けて上記履歴一覧情報を生成することを特徴とする、地点履歴表示システム。
【請求項５】
請求項１から４のいずれか一つに記載の地点履歴表示システムにおいて、
上記地点履歴情報は、
上記地点履歴にかかる天気情報を更に含み、
上記履歴一覧情報生成手段は、
上記地点履歴情報取得手段により取得された上記地点履歴情報に基づいて、上記日付情報に対応する上記日付位置に、更に上記天気情報を対応付けて上記履歴一覧情報を生成することを特徴とする、地点履歴表示システム。
【請求項６】
請求項１から５のいずれか一つに記載の地点履歴表示システムにおいて、
上記地点履歴情報は、
上記地点履歴にかかる検索時の検索種別情報を更に含み、
上記履歴一覧情報生成手段は、
上記地点履歴情報取得手段により取得された上記地点履歴情報に基づいて、上記日付情報に対応する上記日付位置に、更に上記検索種別情報を対応付けて上記履歴一覧情報を生成することを特徴とする、地点履歴表示システム。
【請求項７】
請求項１から６のいずれか一つに記載の地点履歴表示システムにおいて、
上記地点履歴情報は、
上記地点履歴にかかる検索時の検索キー情報を含み、
上記履歴一覧情報生成手段は、
上記地点履歴情報取得手段により取得された上記地点履歴情報に基づいて、上記日付情報に対応する上記日付位置に、更に上記検索キー情報を対応付けて上記履歴一覧情報を生成することを特徴とする、地点履歴表示システム。
【請求項８】
請求項１から７のいずれか一つに記載の地点履歴表示システムにおいて、
上記地点は、
目的地、経由地、および、出発地のうちの少なくとも一つであることを特徴とする、地点履歴表示システム。
【請求項９】
記憶部と制御部とを少なくとも備えたサーバ装置、および、制御部と表示部とを少なくとも備えた端末装置を、通信可能に接続した地点履歴表示システムであって、
上記サーバ装置の上記記憶部は、
日付情報を含む地点履歴情報を記憶する地点履歴情報記憶手段、
を備え、
上記サーバ装置の上記制御部は、
上記端末装置から送信される、地点履歴要求を受信する地点履歴要求受信手段と、
上記地点履歴要求受信手段により上記地点履歴要求が受信された場合、上記地点履歴情報記憶手段から上記地点履歴情報を取得する地点履歴情報取得手段と、
上記地点履歴情報取得手段により取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成手段と、
上記履歴一覧情報生成手段により生成された上記履歴一覧情報を上記端末装置に送信する履歴一覧情報送信手段と、
を備え、
上記端末装置の上記制御部は、
上記地点履歴要求を上記サーバ装置に送信する地点履歴要求送信手段と、
上記サーバ装置から送信される、上記履歴一覧情報を受信する履歴一覧情報受信手段と、
上記履歴一覧情報受信手段により受信された上記履歴一覧情報を、上記表示部に表示させる履歴一覧情報表示手段と、
を備えたことを特徴とする、地点履歴表示システム。
【請求項１０】
記憶部と制御部と表示部とを少なくとも備えた地点履歴表示装置であって、
上記記憶部は、
日付情報を含む地点履歴情報を記憶する地点履歴情報記憶手段、
を備え、
上記制御部は、
上記地点履歴情報記憶手段から上記地点履歴情報を取得する地点履歴情報取得手段と、
上記地点履歴情報取得手段により取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成手段と、
上記履歴一覧情報生成手段により生成された上記履歴一覧情報を上記表示部に表示させる履歴一覧情報表示手段と、
を備えたことを特徴とする、地点履歴表示装置。
【請求項１１】
表示部を少なくとも備えた端末装置に通信可能に接続された、記憶部と制御部とを少なくとも備えたサーバ装置であって、
上記記憶部は、
日付情報を含む地点履歴情報を記憶する地点履歴情報記憶手段、
を備え、
上記制御部は、
上記端末装置から送信される、地点履歴要求を受信する地点履歴要求受信手段と、
上記地点履歴要求受信手段により上記地点履歴要求が受信された場合、上記地点履歴情報記憶手段から上記地点履歴情報を取得する地点履歴情報取得手段と、
上記地点履歴情報取得手段により取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成手段と、
上記履歴一覧情報生成手段により生成された上記履歴一覧情報を上記端末装置に送信することにより、上記端末装置の上記表示部に当該履歴一覧情報を表示させる履歴一覧情報送信手段と、
を備えたことを特徴とする、サーバ装置。
【請求項１２】
記憶部を少なくとも備えたサーバ装置に通信可能に接続された、制御部と表示部とを少なくとも備えた端末装置であって、
上記記憶部は、
日付情報を含む地点履歴情報を記憶する地点履歴情報記憶手段、
を備え、
上記制御部は、
上記地点履歴要求を上記サーバ装置に送信する地点履歴要求送信手段と、
上記サーバ装置から送信される、上記地点履歴要求に従って、上記地点履歴情報記憶手段から取得された上記地点履歴情報に基づいて、上記日付情報に対応するカレンダーの日付位置に、上記地点履歴があることを示す履歴情報を対応付けて一覧にした、履歴一覧情報を受信する履歴一覧情報受信手段と、
上記履歴一覧情報受信手段により受信された上記履歴一覧情報を、上記表示部に表示させる履歴一覧情報表示手段と、
を備えたことを特徴とする、端末装置。
【請求項１３】
記憶部と制御部と表示部とを少なくとも備えた地点履歴表示装置において実行される地点履歴表示方法であって、
上記記憶部は、
日付情報を含む地点履歴情報を記憶する地点履歴情報記憶手段、
を備え、
上記制御部において実行される、
上記地点履歴情報記憶手段から上記地点履歴情報を取得する地点履歴情報取得ステップと、
上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記履歴一覧情報生成ステップにて生成された上記履歴一覧情報を上記表示部に表示させる履歴一覧情報表示ステップと、
を含むことを特徴とする、地点履歴表示方法。
【請求項１４】
記憶部と制御部とを少なくとも備えたサーバ装置、および、制御部と表示部とを少なくとも備えた端末装置を、通信可能に接続した地点履歴表示システムにおいて実行される地点履歴表示方法であって、
上記サーバ装置の上記記憶部は、
日付情報を含む地点履歴情報を記憶する地点履歴情報記憶手段、
を備え、
上記端末装置の上記制御部において実行される、
地点履歴要求を上記サーバ装置に送信する地点履歴要求送信ステップと、
上記サーバ装置の上記制御部において実行される、
上記端末装置から送信される、上記地点履歴要求を受信する地点履歴要求受信ステップと、
上記サーバ装置の上記制御部において実行される、
上記地点履歴要求受信ステップにて上記地点履歴要求が受信された場合、上記地点履歴情報記憶手段から上記地点履歴情報を取得する地点履歴情報取得ステップと、
上記サーバ装置の上記制御部において実行される、
上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記サーバ装置の上記制御部において実行される、
上記履歴一覧情報生成ステップにて生成された上記履歴一覧情報を上記端末装置に送信する履歴一覧情報送信ステップと、
上記端末装置の上記制御部において実行される、
上記サーバ装置から送信される、上記履歴一覧情報を受信する履歴一覧情報受信ステップと、
上記端末装置の上記制御部において実行される、
上記履歴一覧情報受信ステップにて受信された上記履歴一覧情報を、上記表示部に表示させる履歴一覧情報表示ステップと、
を含むことを特徴とする、地点履歴表示方法。
【請求項１５】
地点履歴表示システムにおいて実行される地点履歴表示方法であって、
上記地点履歴表示システムは、
日付情報を含む地点履歴情報を記憶する地点履歴情報記憶手段と、地点履歴情報取得手段と、履歴一覧情報生成手段と、履歴一覧情報表示手段と、
を備え、
上記地点履歴情報取得手段が、上記地点履歴情報記憶手段から上記地点履歴情報を取得する地点履歴情報取得ステップと、
上記履歴一覧情報生成手段が、上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記履歴一覧情報表示手段が、上記履歴一覧情報生成ステップにて生成された上記履歴一覧情報を表示部に表示させる履歴一覧情報表示ステップと、
を含むことを特徴とする、地点履歴表示方法。
【請求項１６】
表示部を少なくとも備えた端末装置に通信可能に接続された、記憶部と制御部とを少なくとも備えたサーバ装置において実行される地点履歴表示方法であって、
上記記憶部は、
日付情報を含む地点履歴情報を記憶する地点履歴情報記憶手段、
を備え、
上記制御部において実行される、
上記端末装置から送信される、地点履歴要求を受信する地点履歴要求受信ステップと、
上記地点履歴要求受信ステップにて上記地点履歴要求が受信された場合、上記地点履歴情報記憶手段から上記地点履歴情報を取得する地点履歴情報取得ステップと、
上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記履歴一覧情報生成ステップにて生成された上記履歴一覧情報を上記端末装置に送信することにより、上記端末装置の上記表示部に当該履歴一覧情報を表示させる履歴一覧情報送信ステップと、
を含むことを特徴とする、地点履歴表示方法。
【請求項１７】
記憶部を少なくとも備えたサーバ装置に通信可能に接続された、制御部と表示部とを少なくとも備えた端末装置において実行される地点履歴表示方法であって、
上記記憶部は、
日付情報を含む地点履歴情報を記憶する地点履歴情報記憶手段、
を備え、
上記制御部において実行される、
上記地点履歴要求を上記サーバ装置に送信する地点履歴要求送信ステップと、
上記サーバ装置から送信される、上記地点履歴要求に従って、上記地点履歴情報記憶手段から取得された上記地点履歴情報に基づいて、上記日付情報に対応するカレンダーの日付位置に、上記地点履歴があることを示す履歴情報を対応付けて一覧にした、履歴一覧情報を受信する履歴一覧情報受信ステップと、
上記履歴一覧情報受信ステップにて受信された上記履歴一覧情報を、上記表示部に表示させる履歴一覧情報表示ステップと、
を含むことを特徴とする、地点履歴表示方法。
【請求項１８】
記憶部と制御部と表示部とを少なくとも備えた地点履歴表示装置に実行させるためのプログラムであって、
上記記憶部は、
日付情報を含む地点履歴情報を記憶する地点履歴情報記憶手段、
を備え、
上記制御部において、
上記地点履歴情報記憶手段から上記地点履歴情報を取得する地点履歴情報取得ステップと、
上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記履歴一覧情報生成ステップにて生成された上記履歴一覧情報を上記表示部に表示させる履歴一覧情報表示ステップと、
を実行させるためのプログラム。
【請求項１９】
表示部を少なくとも備えた端末装置に通信可能に接続された、記憶部と制御部とを少なくとも備えたサーバ装置に実行させるためのプログラムであって、
上記記憶部は、
日付情報を含む地点履歴情報を記憶する地点履歴情報記憶手段、
を備え、
上記制御部において、
上記端末装置から送信される、地点履歴要求を受信する地点履歴要求受信ステップと、
上記地点履歴要求受信ステップにて上記地点履歴要求が受信された場合、上記地点履歴情報記憶手段から上記地点履歴情報を取得する地点履歴情報取得ステップと、
上記地点履歴情報取得ステップにて取得された上記地点履歴情報に基づいて、上記日付情報に対応するカレンダーの日付位置に、上記地点履歴があることを示す履歴情報を対応付けて一覧にした、履歴一覧情報を生成する履歴一覧情報生成ステップと、
上記履歴一覧情報生成ステップにて生成された上記履歴一覧情報を上記端末装置に送信することにより、上記端末装置の上記表示部に当該履歴一覧情報を表示させる履歴一覧情報送信ステップと、
を実行させるためのプログラム。
【請求項２０】
記憶部を少なくとも備えたサーバ装置に通信可能に接続された、制御部と表示部とを少なくとも備えた端末装置に実行させるためのプログラムであって、
上記記憶部は、
日付情報を含む地点履歴情報を記憶する地点履歴情報記憶手段、
を備え、
上記制御部において、
上記地点履歴要求を上記サーバ装置に送信する地点履歴要求送信ステップと、
上記サーバ装置から送信される、上記地点履歴要求に従って、上記地点履歴情報記憶手段から取得された上記地点履歴情報に基づいて、上記日付情報に対応するカレンダーの日付位置に、上記地点履歴があることを示す履歴情報を対応付けて一覧にした、履歴一覧情報を受信する履歴一覧情報受信ステップと、
上記履歴一覧情報受信ステップにて受信された上記履歴一覧情報を、上記表示部に表示させる履歴一覧情報表示ステップと、
を実行させるためのプログラム。